(57)【特許請求の範囲】
【請求項１】
ラッチ錠を備えた扉の壁面に所定間隔を有して固定される一組の台座と、これらの台座に架設した状態で両端部が支持されると共に付勢バネにより初期位置に付勢されたプル式ハンドルとを備えたラッチ錠用ハンドル装置に於いて、前記一組の台座の内、少なくとも一方の台座（４）は、取付けベース（４ａ）の内側開口（３６）と連通する外向き凹所（３１）を有し、この外向き凹所内に前記プル式ハンドル（６）の端部側に連結され、かつ第１固定軸（２５）に軸支されたテコ式長杆片としての作動リンク（２７）と、該作動リンクに連動すると共に、前記第１固定軸よりも前記取付けベース側に位置する第２固定軸（２９）に軸支され、かつ前記内側開口から突出する突出端部（３０ａ）が前記ラッチ錠（３）の錠箱内の駆動体（ａ）と係合するテコ式長杆片としての連動レバー（３０）とを組み込み、さらに、前記プル式ハンドルの端部側の内壁面には、前記外向き凹所の外側開口端（３１ａ）の一部又は全部を覆うカバー体（１２）を設け、該カバー体は、前記プル式ハンドルをプルした場合であっても、該プル式ハンドル（６）の前後移動の範囲内で前記一方の台座の外向き凹所（３１）の外側開口端（３１ａ）の一部又は全部を隠し、一方、前記プル式ハンドルを初期位置へと戻した時には、前記カバー体は、前記一方の台座の内側壁部の内壁面に対して重なり合うように位置変位するラッチ錠用ハンドル装置。
【請求項２】
請求項１に於いて、カバー体（１２）は、少なくとも把手側内壁板（１３）を有し、プル式ハンドル（６）を初期位置へと戻した時には、一方の台座（４）の内側壁部の内壁面に対して略間隙がないように、或いは摺接状態に外向き凹所（３１）内に入り込むことを特徴とするラッチ錠用ハンドル装置。
【請求項３】
請求項２に於いて、カバー体はケース状に形成され、外向き凹所（３１）の外側開口端（３１ａ）を常に閉塞状態に覆うことを特徴とするラッチ錠用ハンドル装置。
【請求項４】
請求項１に於いて、作動リンクを軸支する第１固定軸（２５）と、連動レバーを軸支する第２固定軸（２９）は別個であり、これらの第１固定軸及び第２固定軸は外向き凹所内に固定された支持枠（３９）にそれぞれ横設軸架されていることを特徴とするラッチ錠用ハンドル装置。
【請求項５】
請求項４に於いて、支持枠（３９）にはストッパー機能を兼用する案内長孔（２６ａ）が形成され、該案内長孔に作動リンクの中央部に固定した係合ピン（２６ｂ）が固定されていることを特徴とするラッチ錠用ハンドル装置。
【請求項６】
請求項１に於いて、作動リンクは第１固定軸を基準として、その長梃側端部がプル式ハンドル（６）の一端部に可動ピン（２４）を介して軸支されていると共に、その基端部側に作動係合歯（２７ｂ）が形成され、また連動レバーは第２固定軸を基準として、その長梃部分の先端部がラッチ錠の駆動体（ａ）に係合すると共に、その基端部側に前記作動係合歯に常時係合する従動係合歯（３０ｂ）が形成されていることを特徴とするラッチ錠用ハンドル装置。
【発明の詳細な説明】
【技術分野】
【０００１】
本発明はラッチ錠用のハンドル装置に関し、例えば一端部が台座に軸支された室外側のハンドルを、扉の開く方向へ引く（プルする）際、一端部の枢軸を支点にハンドルが所定角度まで傾倒するハンドル揺動型のラッチ錠用ハンドル装置に関する。
【背景技術】
【０００２】
特許文献１の第１図に於いて、ラッチ錠Ｂを備えた扉Ａの右壁面（外壁面）に、上下方向に所定間隔を有して固定される上下一組の台座３、４と、これらの台座に架設した状態で両端部が支持されると共に付勢バネにより初期位置に付勢された室外側ハンドル１と、前記上方の台座４の内部に中間部が軸支されていると共に、その下端部側に相当する受動部７ａが前記室外側ハンドル１の折り曲げ自由端部に係合し、かつ、水平部側に相当する係合部が扉の外壁面に形成した開口部を介して前記ラッチ錠Ｂの錠箱内に突出状態に臨むＬ字形状の作動片７とから成るラッチ錠用のハンドル装置が開示されている（符号は文献に記載のもの）。
【０００３】
このラッチ錠用のハンドル装置（特許文献１では、プッシュプル錠のハンドル装置）は、ハンドル揺動型のもので、前記室外側ハンドル１を扉Ａの開く方向（図面では符合のイ）へ「プル（引く）」すると、ハンドルの一端部を軸支する枢軸１ａが支点となって室外側ハンドル１の自由端部が室外方向へ所定量位置変位する。
該特許文献１に記載されているように、室外側ハンドル１のプルの操作力によって、作動片７が回転すると、ラッチ錠Ｂの錠箱内に組み込まれたラッチ操作部材（駆動カム）を介してラッチの後退或いは後退動を許容させてラッチ錠Ｂを解錠する共に、扉Ａをプルする方向へと開くことができる。
【０００４】
ところで、特許文献１の実施例を含め、ハンドル揺動型のラッチ錠用ハンドル装置は、ハンドルの作動方向の力が全て扉を開放させる力として作用させるので、台座内に軸支された作動片を回動させかつ扉を開放するのに要する力は比較的小さくて良いという利点がある。
【０００５】
また、普通一般に、この種のハンドルの台座内には、プル式のハンドルを初期位置側に向けて付勢する付勢バネが台座又は／及び錠箱内に存在するので、いわゆるソフトなタッチで、該ハンドルを把持したままの状態で初期位置へと戻すことができる。
しかしながら、後者の場合に於いて、不注意により、指を座の外向き凹所に入れ、ハンドルの内壁面と台座の一側壁の先端縁（例えば上方台座の場合にはその底壁部分の先端縁）との間に指や皮膚を挟めてしまう、という問題点がある。
【０００６】
そこで、プル式のハンドルの場合に於いて、復帰時に指や皮膚を挟まない工夫が要望されている。それと同時に、好ましくはハンドルを手前にプルした時、ハンドル装置を構成する台座の外向き凹所内の作動リンク、軸等の飛び出しを隠すことが要望されている。さらに、好ましくは作動リンク、連動レバー等を台座の外向き凹所内に簡単に組付けること、作動リンクを所定の範囲でスムースに前後移動させること等も要望されている。
【０００７】
なお、特許文献２には、家具等における扉のラッチ装置に於いて、扉を閉める際、ラッチと別個のラッチレバーを動かないように軸支し、操作する指を引手部の開口縁部に挟まないことを発明の課題とするものが存在するが、この特許文献２は、プッシュプル錠のハンドル装置に関するものではない。
【先行技術文献】
【特許文献】
【０００８】
【特許文献１】実用新案登録第２５２９２６３号公報
【特許文献２】特開平８−９３２９８号公報
【発明の概要】
【発明が解決しようとする課題】
【０００９】
本願発明の目的は、（ａ）プル式のハンドルの場合に於いて、復帰時に指や皮膚を挟まないことである。（ｂ）また好ましい実施形態としては、ハンドルを手前にプルした時、ハンドル装置を構成する台座の外向き凹所内の作動リンク、可動ピン等の飛び出しを隠すことである。（ｃ）また好ましい実施形態としては、作動リンク及び連動レバーを台座の外向き凹所内に簡単に組付けることである。（ｄ）さらに、好ましい実施形態としては、作動リンクを所定の範囲でスムースに前後移動させることである。（ｅ）連動レバーの上下方向（実施態様によっては左右方向）の振幅（ストローク）の量の拡大化を図ることである。
【課題を解決するための手段】
【００１０】
本願発明のラッチ錠用のハンドル装置は、ラッチ錠を備えた扉の壁面に所定間隔を有して固定される一組の台座と、これらの台座に架設した状態で両端部が支持されると共に付勢バネにより初期位置に付勢されたプル式ハンドルとを備えたラッチ錠用ハンドル装置に於いて、前記一組の台座の内、少なくとも一方の台座（４）は、取付けベース（４ａ）の内側開口（３６）と連通する外向き凹所（３１）を有し、この外向き凹所内に前記プル式ハンドル（６）の端部側に連結され、かつ第１固定軸（２５）に軸支されたテコ式長杆片としての作動リンク（２７）と、該作動リンクに連動すると共に、前記第１固定軸よりも前記取付けベース側に位置する第２固定軸（２９）に軸支され、かつ前記内側開口から突出する突出端部（３０ａ）が前記ラッチ錠（３）の錠箱内の駆動体（ａ）と係合するテコ式長杆片としての連動レバー（３０）とを組み込み、さらに、前記プル式ハンドルの端部側の内壁面には、前記外向き凹所の外側開口端（３１ａ）の一部又は全部を覆うカバー体（１２）を設け、該カバー体は、前記プル式ハンドルをプルした場合であっても、該プル式ハンドル（６）の前後移動の範囲内で前記一方の台座の外向き凹所（３１）の外側開口端（３１ａ）の一部又は全部を隠し、一方、前記プル式ハンドルを初期位置へと戻した時には、前記カバー体は、前記一方の台座の内側壁部の内壁面に対して重なり合うように位置変位することを特徴とする。
【発明の効果】
【００１１】
（ａ）好ましい実施形態として、台座側板の一側壁の内壁面に対して、ケース状カバー体のハンドル把持側の内面板が沿うように入り込むようにしたので、プル式のハンドルの復帰時、不注意により指や皮膚を挟まない。連動レバーの上下方向、或いは左右方向の振幅量の拡大化を図ることができる。
（ｂ）好ましい実施形態として、ハンドルの端部側に連結された連結片、可動ピン、作動リンク等がケース状カバー体で覆われるので、見た目も違和感がなく、また悪戯もされないので「安全」である。
（ｃ）請求項４に記載の発明は、作動リンクを軸支する第１固定軸と、連動レバーを軸支する第２固定軸は別個独立であり、これらの第１固定軸及び第２固定軸は外向き凹所内に固定された支持枠にそれぞれ横設軸架されているので、作動リン及び連動レバーを台座の外向き凹所内に容易に組み付けることができる。
（ｄ）請求項５に記載の発明は、支持枠にはストッパー機能を兼用する案内長孔が形成され、該案内長孔に作動リンクの中央部に固定したガイドピンが固定されているので、作動リンクを所定の範囲でスムースに前後移動させることができる。
（ｅ）請求項６に記載の発明は、作動リンクはテコ式の長杆片であり、第１固定軸を基準として、その長梃側端部が前記ハンドルの一端部に前記可動ピンに軸支されていると共に、その基端部側に作動係合歯が形成され、また連動レバーもテコ式の長杆片であり、第２固定軸を基準として、その長梃部分の先端部がラッチ錠の駆動体に係合すると共に、その基端部側に前記作動係合歯に常時係合する従動係合歯が形成されているので、連動レバーの上下方向、或いは左右方向の振幅量の拡大化を図ることができる。
【図面の簡単な説明】
【００１２】
図１乃至図１３は本発明の実施形態を示す各説明図。
【図１】プル側のハンドル装置の使用状態を示す説明図（扉の外壁面側）。
【図２】扉の自由端面側から見た環境説明図（プル側とプッシュ側の両方を含む）。
【図３】プッシュプル錠のハンドル装置の外観構成の一例を示す環境説明図。
【図４】図２を参照にした一部概略断面説明図（初期位置の状態）。
【図５】主要部の外観構成を示す斜視図（初期位置の状態）。
【図６】主要部の内部構造を示す説明図。
【図７】要部（ケース状カバー体、支持枠、上方台座）の説明図。
【図８】要部（ケース状カバー体、支持枠）の説明図。
【図９】ハンドルをプルした時に於いて、ケース状カバー体の側壁に対する作動リンクのガイドピンの位置を示す説明図。
【図１０】図９の補足的な概略断面説明図。
【図１１】図６の初期位置の状態から、ハンドルを所定位置までプルした時の状態を示す説明図。
【図１２】図１１に於いて、外観構成の一例を示す説明図。
【図１３】図１１に於いて、ケース状カバー体のハンドル把持側の内面板に指の皮膚が当るような態様でハンドルを戻した場合を示す概略説明図。
【発明を実施するための最良の形態】
【００１３】
図１乃至図１３は本発明の実施形態の一例を示す各説明図である。まず、図１は扉の外壁面側から見たラッチ錠用ンドル装置の環境を示す概略説明図である。この図に於いて、Ｆは建物の床面、１は扉枠、３は扉２の自由端部に埋設固定されたラッチ錠、４は扉の外壁面２ａに突出状態に固定された一方（上方）の台座、５は一方の台座に対応するように所定間隔を有して扉２の外壁面２ａに固定された他方（下方）の台座、６は上方台座４と下方台座５に架設した状態で両端部が支持されると共に、付勢バネにより初期位置に付勢された外側のハンドルである。なお、前記一方（上方）の台座４と、他方（下方）の台座５は、左右に配設しても良い。
【００１４】
周知のように、水平方向に回転する扉２は扉枠１の吊元側の縦枠１ａに上下一対の蝶番７，７を介して水平方向に開閉自在に取り付けられている。また、ラッチ錠３の錠箱から突出するラッチ８は、扉枠１の自由端部側の縦枠１ｂに固定的に設けた錠受け１０に係脱できるように錠箱に設けられている。
【００１５】
またラッチ錠３は、扉の自由端部の開放面の前部から後部に向けて埋設状態に取り付けられ、錠箱内に回動可能に設けられた駆動体（ラッチカム、駆動スライダー等）は、例えば外側のハンドル６を扉１の開く方向（図１では手前に）へプルすると、例えば後述する作動リンク及び連動レバーを介してラッチ８の回転を許容する方向へと所定量回転或いはスライドする。
【００１６】
次に、図２は扉の自由端面側から見た説明図で、この図２を基準にすると、図の左側が室外で、一方、図の右側が室内である。したがって、図の左側に相当する扉２の外壁面２ａにプル側のハンドル装置Ｘが装着され、一方、図の右側に相当する扉２の内壁面２ｂにプッシュ側のハンドル装置Ｙが装着されている。したがって、この図は、全体としてプッシュプル錠のハンドル装置の一例を示している。
【００１７】
なお、図２に於いて、４４は一方（上方）の台座、４５は一方の台座に対応するように所定間隔を有して扉２の内壁面２ｂに固定された他方（下方）の台座、４６は上方台座４４と下方台座４５に架設した状態で両端部が支持されると共に、図示しない付勢バネにより初期位置に付勢された内側のハンドルである。このプッシュ側のハンドル装置Ｙの構成は、プル側のハンドル装置Ｘと実質的に同一又は異なるものであっても良い。
【００１８】
次に、図３は、プッシュプル錠のハンドル装置の外観構成の一例を示す環境説明図である。本発明は、図３の左側に示したプル側のハンドル装置Ｘの主要部について権利を主張するものである。このプル側のハンドル装置Ｘは、主としてラッチ錠３の錠箱内に設けられた駆動体（例えばラッチカム、駆動スライダー等）ａに対するものである。
【００１９】
ラッチ錠３の構成及び作用は周知事項なので、詳細な説明は割愛する。例えばラッチ錠３の駆動体ａは、錠箱１１内に回動可能に設けられ、環状の周壁部分に複数個の係合部或いは係合凹凸部分を有している。その１つが、例えば一方（上方）の台座４の取付けベース面４ａに形成した内側開口３６から突出する連動レバー３０の突出端部３０ａが係合する受動突起部ｂである。
【００２０】
次に、図４はプル側のハンドル装置Ｘの扉２の自由端面側から見た説明図、図５は初期位置の状態における主要部の外観構成を示す斜視図、図６は主要部の内部構造を示す説明図である。図１乃至図６を参照にして、プル側のハンドル装置Ｘの構成を説明する。
【００２１】
プル側のハンドル装置Ｘは、ラッチ錠３を備えた扉２の外壁面２ａに上下方向に所定間隔を有して固定される上下一組の台座４，５と、これらの台座４，５に架設した状態で両端部が支持されると共に、台座４内の付勢バネ２１により初期位置に付勢された外側ハンドル６と、該外側ハンドル６の下端部６ａを、連結突片２２を介して軸支する枢軸２３と、一方、内外に位置変位する可動端部２７ａが前記外側ハンドル６の自由端部６ｂ側の連結突片２２及び可動ピン２４を介して枢着されていると共に、その下端部に相当する基端部が上方台座４の凹所内（空間部）に横設軸架された第１固定軸２５に軸支され、その中間部がストッパー機能を有するガイド手段２６に案内される作動リンク２７と、この作動リンク２７の基端部側に形成された作動係合歯２７ｂと噛合する従動係合歯３０ｂが基端部側に形成されていると共に、前記第１固定軸２５と別個の第２固定軸２９に軸支され、かつ、前記作動リンク２７に連動すると共にラッチ錠３の駆動体ａと係合する長梃部分３０ａを有する連動レバー３０とから成る。
【００２２】
付言すると、本願発明のラッチ錠用のハンドル装置Ｘは、ラッチ錠３を備えた扉２の一側壁面に所定間隔を有して固定される一組の台座４，５と、これらの台座に架設した状態で両端部が支持されると共に、適宜箇所に配設された付勢バネ２１により初期位置に付勢されたハンドル６と、このハンドルを扉２の開く方向へプルすると、ハンドル６の一端部を軸支する枢軸２３が支点となって前記台座の一方の台座４に第１固定軸２５を介して軸支され、かつ、該ハンドル６の自由端部６ｂに連結された作動リンク２７の可動ピン２４が台座４の外方向へ所定量位置変位すると共に、該作動リンク２７に連動するように前記一方の台座４に第２固定軸２９を介して軸支されたラッチ錠３の駆動体ａを作動させるための連動レバー３０とから成り、前記ハンドル６の自由端部６ｂの内面に前記台座４の外向き凹所の外側開口端３１ａの一部又は全部を覆う、板状、チャンネル形状、ケース状等のカバー体１２が設けられている。好ましい実施形態としては、前記ハンドル６の自由端部６ｂの内面に前記台座４の外向き凹所の外側開口端３１ａを閉塞状態に覆うケース状カバー体１２が固定或いは一体成形されている。
【００２３】
そして、（イ）前記作動リンク２７はテコ式の長杆片であり、台座４の空間部３１内に支持枠３９を介して横設軸架された第１固定軸２５を基準として、その長梃側端部がハンドル６の自由端部６ｂに作用点としての可動ピン２４に軸支されていると共に、その基端部側に作動係合歯２７ｂが形成され、（ロ）また、前記連動レバー３０もテコ式の長杆片であり、第１固定軸２５よりも台座４の取付けベース面４ａ側に位置するように該台座４の空間部３１内に支持枠を介して、又は介さないで横設軸架された第２固定軸２９を基準として、その長梃部分３０ａの先端部がラッチ錠３の駆動体ａに押圧係合すると共に、その基端部側に前記作動係合歯２７ｂに常時係合する従動係合歯３０ｂが形成されており、（ハ）さらに、前記連動レバー３０の回転半径は、前記作動リンク２７の回転半径よりも短い。
【００２４】
次に、図７と図８は本発明の一実施形態の上方台座４、ハンドル側のケース状カバー体１２、上方台座内の支持枠３９等の要部を示す。特に、図８はケース状カバー体１２を内壁面側から見た斜視図と、上方台座４の取付けベース面４ａの内壁面に固定される前記支持枠３９（仮想線）と、該支持枠に形成されたガイド手段２６の一方を構成する弧状の案内長孔２６ａに係合し、かつ作動リンク２７の中央部に固定された係合ピン２６ｂ（実線）とを示す。
【００２５】
図４で示すように、上方台座４も下方台座５も、取付けベース４ａ、５ａの反対側の外壁弧状面に外向き凹所（空間部分）３１，３２がそれぞれ形成され、これらの外向き凹所３１，３２内に外側ハンドル６の両端部の略全部又は全部が隠蔽状態に入り込んでいると共に、前記外側ハンドル６の自由端部６ｂの内壁面には、ケース状カバー体１２が固定されている。これは意匠上の美観性、考案上のハンドルの把持部分の範囲性等を考慮したものである。ここで「略全部」とは、例えばケース状カバー体１２の開口端部の一部に切欠を形成し、ガイド手段を構成する係合ピン２６ｂの端部を見えるように設計変更する場合も含むことをいう。
【００２６】
外側ハンドル６の内面に固定されるケース状カバー体１２は、例えば図７、図８、図９、図１０、図１２等で示すように、上方台座４の外向き凹所３１の一部又は全部を覆う（実施形態では閉塞状態にカバーする）把持側内面板１３と、これに対向する非把持側外面板１４と、これらの内面板１３、外面板１４に交差状態に連設すると共に前記外側ハンドル６の内面に固定される取付け板１５と、この取付け板１５及び前記内面板１３、外面板１４に交差状態に連設する左右の対向側板（図１０で示すように係合ピン２６ｂと直交する対向側壁）１６、１６とを有し、図９で示すように断面逆コ字形状（チャンネル形状）に構成されている。
【００２７】
しかして、図９を基準にすると、内面板１３、外面板１４は、取付け板１５に対してやや上方を指向する傾斜状に形成され、また指挟み防止機能を発揮する下方の前記内面板１３は上方の外面板１４よりも突出量が少ない。また取付け板１５には、複数個の固着具用の取付け孔１７が形成されていると共に、これらの取付け孔１７の上方には、連結突片２２が貫通する切欠開口１８が形成されている。そして、左右の対向側板１６、１６の中央部には、係合ピン２６ｂの両端面と対向する一対の小突起１６ａ、１６ａが設けられている。
【００２８】
また、支持枠３９は、取付けベース４ａに固定される垂直固定板３９ａの中央部に連動レバー３０が貫通する窓３３を有する。また、前記垂直固定板３９ａに連設状態で交差する対向案内板３９ｂ、３９ｂには、第１固定軸用孔３４と第２固定軸用孔３５がそれぞれ別個・独立に形成されていると共に、前述した案内長孔２６ａ、２６ａが弧状に形成されている。
【００２９】
このように、本実施例では、作動リンク２７を軸支する第１固定軸２５と、連動レバー３０を軸支する第２固定軸２９は別個であり、これらの第１固定軸２５及び第２固定軸２９は外向き凹所３１内に固定された支持枠３９にそれぞれ横設軸架されているので、作動リン２７及び連動レバー３０を台座の外向き凹所内に容易に組み付けることができる。付言すると、本実施例では、支持機能及びガイド機能を有する単数の支持枠３９を介して上方台座４の外向き凹所３１内に作動リンク２７と連動レバー３０をそれぞれ基端部が係合するように組み込むので、上方台座４には、ガイド手段、第１固定軸用軸孔、第２固定軸用軸孔等を形成する必要はなく、連動レバー３０用開口３６のみを形成すれば良い。
【００３０】
上記構成に於いて、例えばケース状カバー体１２は、プル式のハンドル６を付勢バネ２１のバネ力に抗してプルした場合には、該ハンドル６の前後移動の範囲内で上方台座４の外向き凹所３１の外側開口端３１ａの略全部又は全部（本実施例）を常に隠し、一方、前記ハンドル６を初期位置へと戻した時には、前記外向き凹所３１を形成する上方台座４の内側壁部４ｂの内壁面（図では底壁部分の内壁面）に対して前記ケース状カバー体１２の把持側内面板１３が沿うように位置する。本実施例ではハンドル６側の把持側内面板１３が台座側の内側壁部４ｂの内面に対して略隙間のないように或いは摺接状態に外向き凹所３１内に入り込むので、プル式のハンドルの復帰時に不注意により指や皮膚を挟まない。
【００３１】
ところで、可動ピン２４、作動リンク２７等の作用の説明に関して、本実施例では、外側のハンドル６を扉２の開く方向へプルすると、ハンドル６の一端部を軸支する枢軸２３が支点となって台座の一方（上方）の台座４に第１固定軸２５を介して軸支され、かつ、該ハンドルの他端部に連結された作動リンク２７の可動ピン２４が上方台座４の外方向へ所定量位置変位すると共に、該作動リンク２７に連動するように前記上方台座４に第２固定軸２９を介して軸支された連動レバー３０が、作動係合歯２７ｂと従動係合歯３０ｂ（動力変換手段）を介して、ラッチ錠３の駆動体ａを解錠方向へ所定量回転する。
【００３２】
したがって、半径の長い部材である作動リンク２７と、それよりも半径の短い部材である連動レバー３０、これらの基端部に形成された作動係合歯２７ｂと従動係合歯３０ｂの半径・歯車比、それに、前記連動レバー３０の折り曲げ角度を考慮しながら設計変更すると、作動リンク２７の水平方向の振幅を大きくすることにより、連動レバー３０の上下方向の振幅を所望する範囲まで拡大することができる。
【実施例】
【００３３】
本実施例の板状（水平板状）、あるいはチャンネル形状（コ字形状）、あるいはまたケース状のカバー体１２は、外側ハンドル６の内壁面に固着具を介して固定（連結）されているが、もちろん、予め一体成形されたものであっても良い。また本実施例の外側ハンドル６は揺動型なので、上下に位置する外面板１４と内面板１３の長さ及び傾斜角度は、ケース状カバー体１２が外側ハンドル６と共に前後移動する際に台座側板の外向き凹所３１を形成する上下の内壁面に衝突しないように適宜に設定されている。したがって、内面板１３、外面板１４の外壁面を、単なる板状ではなく、例えば弧状面、船底状等の曲面状に形成しても良い。
【００３４】
なお、本発明のハンドル装置のプル式のハンドル６は、一端部が軸支された「揺動型」のみならず、上下の台座側に平行リンク機構や同期機構を備え、プル式のハンドルが前後方向に水平移動する型「水平動型」であっても良い。また、付勢バネ２１は、必ずしも台座内に設ける必要はなく、錠箱内に配設しても良い。要は発明の所期の目的を逸脱しない範囲に於いて、他の構成部分は任意に設計変更可能である。
【産業上の利用可能性】
【００３５】
本発明は錠前や建具の分野で利用することができる。
【符号の説明】
【００３６】
Ｘ…プル側のハンドル装置、Ｙ…プッシュ側のハンドル装置、１…扉枠、２…扉、２ａ…外壁面、２ｂ…内壁面、３…ラッチ錠、４…上方台座、４ｂ…内側壁部（底壁部分）、５…下方台座、６…外側ハンドル、８…ラッチ、１０…錠受け、１１…錠箱、ａ…駆動体（ラッチカム）、ｂ…受動突起部、２４…可動ピン、２５…第１固定軸、２６…ガイド手段、２６ａ…案内長孔、２７…作動リンク、２７ａ…可動端部、２７ｂ…作動係合歯、２９…第２固定軸、３０…連動レバー、３０ａ…長梃部分、３０ｂ…従動係合歯、３１…上方台座の外向き凹所、３１ａ…外側開口端、３２…下方台座の凹所、３４…第１固定軸２５用軸孔、３５…第２固定軸用軸孔、３６…連動レバー用開口、３９…支持枠。
【図１】
0005740164.tif 000002
【図２】
0005740164.tif 000003
【図３】
0005740164.tif 000004
【図４】
0005740164.tif 000005
【図５】
0005740164.tif 000006
【図６】
0005740164.tif 000007
【図７】
0005740164.tif 000008
【図８】
0005740164.tif 000009
【図９】
0005740164.tif 000010
【図１０】
0005740164.tif 000011
【図１１】
0005740164.tif 000012
【図１２】
0005740164.tif 000013
【図１３】
0005740164.tif 000014